(57)【要約】  環境制御システム（１０）は、対象者（２００）に向けて風を送出する送風装置（２０）と、対象者（２００）の起床予定時刻、対象者（２００）の就寝予定時刻、日の出時刻、及び、日の入時刻の少なくとも１つの時刻を取得し、取得された少なくとも１つの時刻に送風装置（２０）の制御を切り替える制御装置（１２０）とを備える。
2020158560.tif 000002
【特許請求の範囲】
【請求項１】
対象者に向けて風を送出する送風装置と、
前記対象者の起床予定時刻、前記対象者の就寝予定時刻、日の出時刻、及び、日の入時刻の少なくとも１つの時刻を取得し、取得された前記少なくとも１つの時刻に前記送風装置の制御を切り替える制御装置とを備える
環境制御システム。
【請求項２】
前記制御装置は、
前記起床予定時刻、前記就寝予定時刻、及び、前記日の入時刻を取得し、
前記起床予定時刻から、前記就寝予定時刻及び前記日の入時刻のいずれか早い時刻までの間に、前記送風装置が送出する風の風速を所定の周期で変化させることにより前記対象者の交感神経の働きを副交感神経の働きよりも優位にする第一制御を行い、
前記就寝予定時刻及び前記日の入時刻のいずれか早い時刻以降に、前記送風装置が送出する風の風速を前記第一制御よりも小さくすることにより前記対象者の前記副交感神経の働きを前記交感神経の働きよりも優位にする第二制御を行う
請求項１に記載の環境制御システム。
【請求項３】
前記制御装置は、前記第一制御において、前記送風装置が送出する風の風速を、前記所定の周期よりも短い時間間隔でゆらがせる
請求項２に記載の環境制御システム。
【請求項４】
さらに、前記対象者が位置する空間の温度を調整するための空調装置を備え、
前記制御装置は、取得された前記少なくとも１つの時刻に前記空調装置の制御を切り替える
請求項１〜３のいずれか１項に記載の環境制御システム。
【請求項５】
さらに、前記対象者が位置する空間を照らす照明装置を備え、
前記制御装置は、取得された前記少なくとも１つの時刻に、色温度に関する前記照明装置の制御を切り替える
請求項１〜４のいずれか１項に記載の環境制御システム。
【請求項６】
さらに、前記対象者が位置する空間を照らす照明装置を備え、
前記制御装置は、取得された前記少なくとも１つの時刻に、前記空間の照度に関する前記照明装置の制御を切り替える
請求項１〜５のいずれか１項に記載の環境制御システム。
【請求項７】
さらに、前記対象者が位置する空間に配置された間接照明装置を備え、
前記制御装置は、取得された前記少なくとも１つの時刻に、前記間接照明装置の発光色を、あらかじめ設定された前記対象者の好みの色、または、あらかじめ設定された前記対象者の好みでない色に切り替える
請求項１〜６のいずれか１項に記載の環境制御システム。
【請求項８】
さらに、前記対象者が位置する空間の換気を行う換気装置を備え、
前記制御装置は、取得された前記少なくとも１つの時刻に、前記空間における二酸化炭素濃度に関する前記換気装置の制御を切り替える
請求項１〜７のいずれか１項に記載の環境制御システム。
【請求項９】
さらに、前記対象者が位置する空間へ取り入れられる外光の量を調整する外光調整装置を備え、
前記制御装置は、取得された前記少なくとも１つの時刻に、前記外光調整装置の制御を切り替える
請求項１〜８のいずれか１項に記載の環境制御システム。
【請求項１０】
さらに、前記対象者が位置する空間に配置された、スピーカ及び香り発生装置を備える
請求項１〜９のいずれか１項に記載の環境制御システム。
【請求項１１】
さらに、前記対象者が位置する空間における環境情報を計測する環境計測装置を備える
請求項１〜１０のいずれか１項に記載の環境制御システム。
【請求項１２】
さらに、前記対象者の生体情報を計測する生体情報計測装置を備え、
前記制御装置は、計測された前記対象者の生体情報に基づいて、前記送風装置の制御の内容を調整する
請求項１〜１１のいずれか１項に記載の環境制御システム。
【請求項１３】
前記制御装置は、特定の操作に基づいて、前記少なくとも１つの時刻に無関係に前記送風装置を制御する
請求項１〜１２のいずれか１項に記載の環境制御システム。
【請求項１４】
前記制御装置は、時刻を指定する操作に基づいて、前記日の出時刻、及び、前記日の入時刻を取得する
請求項１〜１３のいずれか１項に記載の環境制御システム。
【請求項１５】
前記制御装置は、前記対象者が位置する空間の場所を指定する操作に基づいて、前記日の出時刻、及び、前記日の入時刻を取得する
請求項１〜１３のいずれか１項に記載の環境制御システム。
【請求項１６】
前記制御装置は、衛星測位システムから取得した情報に基づいて、前記日の出時刻、及び、前記日の入時刻を取得する
請求項１〜１３のいずれか１項に記載の環境制御システム。
【請求項１７】
対象者の起床予定時刻、前記対象者の就寝予定時刻、日の出時刻、及び、日の入時刻の少なくとも１つの時刻を取得し、
取得された前記少なくとも１つの時刻に前記対象者に向けて風を送出する送風装置の制御を切り替える
環境制御方法。
【発明の詳細な説明】
【技術分野】
【０００１】
本発明は、環境制御システム、及び、環境制御方法に関する。
【背景技術】
【０００２】
特許文献１には、生理情報及び行動情報を併用することにより居住者の身体状態を検出し、上記身体状態に対して住宅設備機器を個人にとって最適に制御する環境制御機器が開示されている。
【先行技術文献】
【特許文献】
【０００３】
【特許文献１】特開２００１−０４１５３１号公報
【発明の概要】
【発明が解決しようとする課題】
【０００４】
ところで、人の自律神経には、対照的に働く交感神経及び副交感神経の２種類の神経が含まれ、人が有する器官の機能は、この２種類の神経がバランスよく働くことで維持される。現代では、不規則な生活や習慣などによって、自律神経のバランスが乱れるために起こる体の不調を訴える人が増えている。【０００５】
本発明は、対象者の自律神経の乱れを抑制することができる環境制御システム及び環境制御方法を提供する。
【課題を解決するための手段】
【０００６】
本発明の一態様に係る環境制御システムは、対象者に向けて風を送出する送風装置と、前記対象者の起床予定時刻、前記対象者の就寝予定時刻、日の出時刻、及び、日の入時刻の少なくとも１つの時刻を取得し、取得された前記少なくとも１つの時刻に前記送風装置の制御を切り替える制御装置とを備える。【０００７】
本発明の一態様に係る環境制御方法は、対象者の起床予定時刻、前記対象者の就寝予定時刻、日の出時刻、及び、日の入時刻の少なくとも１つの時刻を取得し、取得された前記少なくとも１つの時刻に前記対象者に向けて風を送出する送風装置の制御を切り替える。
【発明の効果】
【０００８】
本発明によれば、対象者の自律神経の乱れを抑制することができる環境制御システム及び環境制御方法が実現される。
【図面の簡単な説明】
【０００９】
【図１】図１は、実施の形態に係る環境制御システムの構成を示す図である。
【図２】図２は、交感神経の働きと副交感神経の働きとを示す図である。
【図３】図３は、制御装置の機能構成を示すブロック図である。
【図４】図４は、実施の形態に係る環境制御システムの切り替え動作のフローチャートである。
【図５】図５は、送風装置を含む対象装置の制御の切り替えを説明するためのタイムチャートである。
【図６】図６は、送風装置の第一制御を説明するためのタイムチャートである。
【図７】図７は、風速のゆらぎの一例を示す図である。
【図８】図８は、交感神経及び副交感神経の働きと生体情報の変化の関係を示す図である。
【図９】図９は、スケジュールモードの動作を示す図である。
【発明を実施するための形態】
【００１０】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態）
［環境制御システムの構成］
まず、実施の形態に係る環境制御システムの構成について説明する。図１は、実施の形態に係る環境制御システムの構成を示す図である。
【００１３】
図１に示される環境制御システム１０は、部屋などの閉空間である空間３００内の環境に関連する対象装置を制御することにより、対象者２００の自律神経の働きを調整する制御を行う。
【００１４】
自律神経には、対照的に働く交感神経及び副交感神経の２種類の神経が含まれ、人が有する器官の機能は、この２種類の神経がバランスよく働くことで維持される。一般に、人の自律神経は、昼間は交感神経の働きが副交感神経の働きよりも優位になり、夜間は交感神経の働きが副交感神経の働きよりも優位になる。図２は、交感神経の働きと副交感神経の働きとを示す図である。つまり、交感神経を優位にすべき第一時間帯、副交感神経の働きを優位にすべき第二時間帯は、ある程度決まっているといえる。
【００１５】
そこで、環境制御システム１０は、交感神経の働きを副交感神経の働きよりも優位にする第一制御、及び、副交感神経の働きを交感神経の働きよりも優位にする第二制御を、対象者２００の起床予定時刻、対象者２００の就寝予定時刻、日の出時刻、及び、日の入時刻の少なくとも１つを考慮した所定のタイミングで切り替える。これにより、対象者２００の自律神経の乱れを抑制することができる。
【００１６】
環境制御システム１０は、具体的には、送風装置２０と、空調装置３０と、照明装置４０と、外光調整装置５０と、間接照明装置６０と、換気装置７０と、スピーカ８０と、香り発生装置９０と、環境計測装置１００と、生体情報計測装置１１０と、制御装置１２０とを備える。
【００１７】
送風装置２０は、対象者２００に向けて風を送出する装置である。送風装置２０は、具体的には、サーキュレータなどの比較的指向性の高い送風装置であるが、扇風機などであってもよい。
【００１８】
空調装置３０は、対象者２００が位置する空間３００の温度を調整するための装置である。空調装置３０は、空間３００の湿度を調整することもできる。空調装置３０は、空間３００の温度及び湿度を、制御装置１２０によって指示された温度及び湿度に近づける。
【００１９】
照明装置４０は、対象者２００が位置する空間３００を照らす直接照明用の装置である。照明装置４０は、例えば、ＬＥＤなどの発光素子を光源として有するシーリングライトであるが、ベースライトまたはダウンライトなどのその他の照明装置であってもよい。照明装置４０は、制御装置１２０によって調光及び調色が可能である。
【００２０】
外光調整装置５０は、対象者２００が位置する空間３００へ取り入れられる外光の量を調整する装置である。外光調整装置５０は、例えば、調光フィルムなどによって実現される電子ブラインドであるが、電動式ブラインド（電動式シャッター）などであってもよい。
【００２１】
間接照明装置６０は、例えば、発光色が異なる複数の光源を有することにより発光色を変更可能である。間接照明装置６０は、例えば、赤色光を発する光源、緑色光を発する光源、及び、青色光を発する光源を有し、各光源が発する光の輝度を調整することにより、発光色を変更する。間接照明装置６０は、光源及び光学フィルタの組み合わせによって任意の発光色を実現してもよい。間接照明装置６０としては、例えば、スポットライト、スタンドライト、ブラケットライト、または、ペンダントライト、ライン照明などが用いられる。
【００２２】
換気装置７０は、対象者２００が位置する空間３００の換気を行う。換気装置７０は、空調装置３０と異なり、温度調整機能を有していない。換気装置７０は、例えば、全熱交換器（ＥＲＶ：Ｅｎｅｒｇｙ  Ｒｅｃｏｖｅｒｙ  Ｖｅｎｔｉｌａｔｏｒ）であるが、換気扇などの熱交換をともなわない換気装置であってもよい。また、換気装置７０は、空間３００に設けられた窓の開閉装置であってもよい。
【００２３】
スピーカ８０は、対象者２００が位置する空間３００に配置され、音声または音楽などを出力する装置である。
【００２４】
香り発生装置９０は、対象者２００が位置する空間に配置された、香りを発する装置である。香り発生装置９０は、例えば、アロマディフューザであるが、その他の香り発生装置であってもよい。香り発生装置９０は送風装置２０やスピーカ８０と統合された機器であってもよい。
【００２５】
環境計測装置１００は、対象者２００が位置する空間３００における環境情報を計測する装置である。環境計測装置１００は、例えば、空間３００における温度を計測する温度センサ、空間３００における湿度を計測する湿度センサ、空間３００における照度を計測する照度センサ、空間３００における二酸化炭素（ＣＯ２）濃度を計測するＣＯ２センサなどである。
【００２６】
生体情報計測装置１１０は、対象者２００の生体情報を計測する装置である。生体情報計測装置１１０は、対象者２００の体温、血圧、心拍数、脈波、発汗量、瞳孔径、表皮温度、または、表情などを生体情報として計測する。生体情報計測装置１１０は、心拍、脈波、及び、呼吸変動波形から算出されるＶＬＦ（Ｖｅｒｙ  Ｌｏｗ  Ｆｒｅｑｕｅｎｃｙ）、ＨＦ（Ｈｉｇｈ  Ｆｒｅｑｕｅｎｃｙ）、ＬＦ（Ｌｏｗ  Ｆｒｅｑｕｅｎｃｙ）、ＬＦ／ＨＦ、吸気時間、排気時間、ポーズ時間などを計測してもよい。生体情報計測装置１１０は、例えば、対象者２００の体に装着されるウェアラブル型のセンサ（言い換えれば、接触型のセンサ）であるが、非接触型のセンサであってもよい。非接触型のセンサとしては、心拍数、呼吸数、脈波などを計測できる電波センサ、瞳孔径または表情を計測できるカメラなどが例示される。
【００２７】
制御装置１２０は、送風装置２０、空調装置３０、照明装置４０、外光調整装置５０、間接照明装置６０、換気装置７０、スピーカ８０、及び、香り発生装置９０などの対象装置を制御する装置である。図３は、制御装置１２０の機能構成を示すブロック図である。
【００２８】
図３に示されるように、制御装置１２０は、制御部１２１と、通信部１２２と、計時部１２３と、記憶部１２４と、操作受付部１２５と、位置計測部１２６とを備える。
【００２９】
制御部１２１は、通信部１２２に制御信号を送信させることにより、対象装置を制御する。制御部１２１は、例えば、マイクロコンピュータによって実現されるが、プロセッサによって実現されてもよい。
【００３０】
通信部１２２は、制御装置１２０が、対象装置と通信するための通信回路（言い換えれば、通信モジュール）である。通信部１２２は、例えば、制御部１２１の制御に基づいて対象装置に制御信号を送信する。また、通信部１２２は、環境計測装置１００から空間３００の環境情報を受信し、生体情報計測装置１１０から対象者２００の生体情報を受信する。通信部１２２は、例えば、無線通信を行うが、有線通信を行ってもよい。通信部１２２によって行われる通信の通信規格は特に限定されない。
【００３１】
計時部１２３は、現在時刻を計測する。計時部１２３は、例えば、リアルタイムクロックなどによって実現される。
【００３２】
記憶部１２４は、制御部１２１が対象装置を制御するための制御プログラムなどが記憶される記憶装置である。記憶部１２４は、例えば、半導体メモリによって実現される。
【００３３】
操作受付部１２５は、対象者２００などのユーザの操作（例えば、交感神経の働きを優位にする第一制御に関する設定操作、または、副交感神経の働きを優位にする第二制御に関する設定操作など）を受け付ける。操作受付部１２５は、タッチパネルまたはハードウェアボタンなどによって実現される。
【００３４】
位置計測部１２６は、制御装置１２０の現在位置（言い換えれば、空間３００の場所）を計測する。位置計測部１２６は、例えば、ＧＰＳ（Ｇｌｏｂａｌ  Ｐｏｓｉｔｉｏｎｉｎｇ  Ｓｙｓｔｅｍ）信号（つまり、衛星から送信される電波）を取得し、取得したＧＰＳ信号に基づいて制御装置１２０の現在位置を計測するＧＰＳモジュールによって実現される。
【００３５】
［送風装置の制御の切り替え］
環境制御システム１０は、対象者２００の起床予定時刻、対象者２００の就寝予定時刻、日の出時刻、及び、日の入時刻の少なくとも１つの時刻を取得し、取得された少なくとも１つの時刻に送風装置２０の制御を切り替える。環境制御システム１０は、より具体的には、交感神経の働きを副交感神経の働きよりも優位にする第一制御、及び、副交感神経の働きを交感神経の働きよりも優位にする第二制御を切り替える。図４は、環境制御システム１０の切り替え動作のフローチャートである。
【００３６】
まず、制御装置１２０の制御部１２１は、対象者２００の起床予定時刻、及び、対象者２００の就寝予定時刻を取得する（Ｓ１１）。制御部１２１は、操作受付部１２５によって受け付けられた対象者２００の時刻を指定する操作に基づいて対象者２００の起床予定時刻、及び、対象者２００の就寝予定時刻を取得する。取得された起床予定時刻、及び、就寝予定時刻は、設定情報として記憶部１２４に記憶される。対象者２００の起床予定時刻および対象者２００の就寝予定時刻は、生体情報計測装置１１０から取得された対象者２００の生体情報データベースから算出された日常生活サイクルから推察される起床予定時刻および対象者２００の就寝予定時刻が自動で設定されてもよい。また、生体情報計測装置１１０の生体情報データベースから算出された対象者２００の起床に適した時間および就寝に適した時間が、対象者２００の起床予定時刻、及び、対象者２００の就寝予定時刻として自動で設定されてもよい。
【００３７】
次に、制御部１２１は、切り替え動作が行われる日の日の出時刻、及び、日の入時刻を取得する（Ｓ１２）。制御部１２１は、例えば、対象者２００の時刻を指定する操作に基づいて、日の出時刻、及び、日の入時刻を取得する。つまり、対象者２００が直接時刻を手入力する。取得された日の出時刻、及び、日の入時刻は、設定情報として記憶部１２４に記憶される。
【００３８】
なお、日の出時刻、及び、日の入時刻の取得方法は、対象者２００の手入力に限定されない。例えば、制御部１２１は、対象者２００が位置する空間３００の場所を指定する操作に基づいて、日の出時刻、及び、日の入時刻を取得してもよい。具体的には、対象者２００によって「大阪」などの都市の名称（言い換えれば、地域の名称）を選択する操作が行われると、制御部１２１は、通信部１２２を用いて外部サーバ装置（例えば、気象情報を管理するサーバ装置）に選択された都市の日の出時刻及び日の入時刻を問い合わせる。この結果、制御部１２１は、外部サーバ装置から通信部１２２を介して日の出時刻及び日の入時刻を取得することができる。
【００３９】
また、制御部１２１は、衛星測位システム（より具体的には、ＧＰＳシステム）から取得した情報に基づいて、日の出時刻、及び、日の入時刻を取得してもよい。具体的には、位置計測部１２６は、取得されたＧＰＳ信号に基づいて現在位置（座標）を算出し、制御部１２１は、算出された現在位置に基づく所定の演算処理により日の出時刻、及び、日の入時刻を算出（つまり、取得）する。制御部１２１は、現在位置を示す情報を、通信部１２２を用いて外部サーバへ送信し、外部サーバによって日の出時刻、及び、日の入時刻が算出されてもよい。この場合、制御部１２１は、外部サーバから日の出時刻、及び、日の入時刻を取得する。
【００４０】
次に、制御部１２１は、制御の切り替えタイミングを決定する（Ｓ１３）。制御部１２１は、具体的には、起床予定時刻を第二制御から第一制御への切り替えタイミングとして決定し、就寝予定時刻及び日の入時刻のいずれか早い時刻を第一制御から第二制御への切り替えタイミングとして決定する。
【００４１】
なお、起床予定時刻が遅い場合（例えば、正午付近である場合）、制御部１２１は、日の出時刻を第二制御から第一制御への切り替えタイミングとして決定してもよい。また、後述のように、日の入時刻が就寝予定時刻よりも早い場合には、第二制御は、日の入時刻〜就寝予定時刻に行われる睡眠前制御と、就寝予定時刻以降に行われる睡眠中制御とを含む場合がある。つまり、睡眠前制御及び睡眠中制御の切り替えが行われる場合がある。
【００４２】
その後、制御部１２１は、送風装置２０の制御（第一制御及び第二制御のいずれか）を開始し（Ｓ１４）、計時部１２３によって計測される現在時刻が切り替えタイミングであるか否かの判定を行う（Ｓ１５）。制御部１２１は、現在時刻が切り替えタイミングであると判定されるまでは（Ｓ１５でＮｏ）、現在の制御を継続し、現在時刻が切り替えタイミングであると判定されると（Ｓ１５でＹｅｓ）、制御を切り替える（Ｓ１６）。
【００４３】
［送風装置の制御の詳細］
以下、送風装置２０の制御の詳細について説明する。図５は、送風装置２０を含む対象装置の制御の切り替えを説明するためのタイムチャートである。図６は、送風装置２０の第一制御を説明するためのタイムチャート（図５の送風装置の制御の部分拡大図）である。なお、図５のタイムチャートは、日の出時刻及び起床予定時刻がいずれも６：００であり、日の入時刻が１８：００であり、就寝予定時刻が２２：００であるときのタイムチャートである。
【００４４】
送風装置２０は、対象者２００の皮膚が露出している、腕、首、及び、顔といった部位に風を送出することができる位置に設置される。送風装置２０は、例えば、対象者２００の顔に向かい風が当たるように設置される。このように、対象者２００の体表に直接風をあてることで、対象者２００の体感温度を下げるなどの強い刺激を与えられるとともに、対象者２００の顔周辺の酸素濃度を下げることが可能であるため、交感神経の働きを優位にすることができる。
【００４５】
制御装置１２０の制御部１２１は、このような設置状態の送風装置２０を制御する。まず、送風装置２０の第一制御（つまり、対象者２００の交感神経の働きを副交感神経の働きよりも優位にする制御）について説明する。
【００４６】
送風装置２０の第一制御は、図５のタイムチャートにおいて、６：００から１８：００までの期間に行われる。制御部１２１は、送風装置２０が送出する風の風速を１５分以上６０分以下の所定の周期で変化させる。また、制御部１２１は、風速が最小値となる時間を所定の周期の７５％以下とする。このように風速が経時的に変化すれば、対象者２００に風による刺激を定常的に与えることができる（対象者２００が風による刺激に慣れにくくなる）とともに、対象者２００の疲労度を抑制することができるため、交感神経の働きが優位な状態が維持されやすくなる。
【００４７】
図６に示されるように、制御部１２１は、より具体的には、送風装置２０が送出する風の風速を３０分周期で変化させる。送風装置２０が送出する風の風速は、制御開始直後に最大値（例えば、１．５ｍ／ｓｅｃ）に達し、１５分間最大値のまま維持される。その後、風速は、５分間かけて線形に低下して最小値（例えば、０．５ｍ／ｓｅｃ）に達し、１０分間最小値のまま維持される。
【００４８】
一般に、人間の集中力が持続する時間は１５分〜６０分程度であるとされており、風速が１５分以上６０分以下の所定の周期（例えば、３０分周期）で変化することにより、対象者２００に効果的に刺激を与えることができる。なお、上述の例では、風速が最小値となる時間は所定の周期の３３％に相当するが、所定の周期の７５％以下であればよい。
【００４９】
発明者らの詳細な検討によれば、所定の周期を風速が最小値となる（つまり、無風または微風となる）第一期間、及び、第一期間以外の第二期間に分けた場合、第一期間の長さは１５分以下が望ましく、第二期間の長さは２０分以下が望ましい。つまり、第一期間は、５分以上２５分以下程度であることが望ましい。同様に、第二期間は、１０分以上３０分以下程度であることが望ましい。
【００５０】
また、図５において、送風装置２０が送出する風の風速が最小値から最大値になるまでの時間（例えば、ほぼ０）は、送風装置２０が送出する風の風速が最大値から最小値になるまでの時間（例えば、５分間）よりも短い。
【００５１】
このように、送風装置２０が送出する風の風速が最小値から最大値になるまでの時間が比較的短く設定されれば、対象者２００に効果的に刺激を与えることができる。また、送風装置２０が送出する風の風速が最大値から最小値になるまでの時間が比較的短く設定されれば、対象者２００が違和感を感じることを抑制することができる。
【００５２】
ところで、図５では正確に図示されていないが、制御部１２１は、送風装置２０が送出する風の風速を、最大値（例えば、１．５ｍ／ｓｅｃ）を基準にゆらぎ最大値（例えば、２．０ｍ／ｓｅｃ）からゆらぎ最小値（例えば、０．５ｍ／ｓｅｃ）まで変化させている。つまり、図５において風速は直線的に変化しているように見えるが、実際には風速が変化している。以下では、このような風速の変化を「ゆらぎ」とも表現する。図７は、このような風速のゆらぎの一例を示す図である。
【００５３】
風速のゆらぎは、例えば、１／ｆゆらぎであるが、ランダムなゆらぎであってもよい。１／ｆゆらぎは、パワースペクトル密度が周波数ｆに反比例するゆらぎを意味する。風速のゆらぎは、１ｓｅｃ〜１０ｓｅｃ程度の数秒オーダーの周期で形成される。つまり、制御部１２１は、送風装置が送出する風の風速を、所定の周期（例えば、３０分）よりも短い時間間隔でゆらがせる。
【００５４】
このように風速が定常的に変化すれば、対象者２００に風による刺激を定常的に与えることができる（対象者２００が風による刺激に慣れにくくなる）ため、交感神経の働きが優位な状態が維持されやすくなる。また、ゆらぎが周期的でなければ、さらに対象者２００に風による刺激を定常的に与えることができる（対象者２００が風による刺激に慣れにくくなる）。
【００５５】
次に、送風装置２０の第二制御（つまり、対象者２００の副交感神経の働きを交感神経の働きよりも優位にする制御）について説明する。図５のタイムチャートにおいて、送風装置２０の第二制御は、１８：００から翌日の６：００までの期間に行われる。
【００５６】
制御部１２１は、第二制御において、送風装置２０による送風を停止させる。これにより、対象者２００に送風装置２０が送出する風によって与える刺激が低減されるため副交感神経の働きを優位にすることができる。なお、制御部１２１は、第二制御において、送風装置２０に微弱な風を送風させてもよい。制御部１２１は、第二制御において、送風装置２０が送出する風の風速を第一制御よりも小さくすればよい。
【００５７】
［空調装置の制御の切り替え］
次に、空調装置３０の制御の切り替えについて説明する。まず、空調装置３０の第一制御について説明する。空調装置３０の第一制御は、図５のタイムチャートにおいて、６：００から１８：００までの期間に行われる。制御部１２１は、空調装置３０を用いて対象者２００の周囲の温度を上昇及び下降させる。制御部１２１は、第一制御の開始当初に、１時間かけて周囲の温度を基準温度＋３℃まで上昇させた後、３０分かけて周囲の温度を３℃低下させ、続いて３０分かけて周囲の温度を３℃上昇させる。なお、温度変化は３０分以内であることが望ましい。その後はこのような温度変化が繰り返される。基準温度は、季節によって異なり、例えば、夏場は２６℃であり、春及び秋は２２℃であり、冬場は２０℃である。なお、交感神経の働きを優位にするためには、３℃以上温度を変化させたほうがよい場合がある。健康面を考慮すると温度変化は５℃以内であればよく、図５の例では、３℃としている。
【００５８】
なお、対象者２００の周囲の温度は、例えば、環境計測装置１００によって計測され、制御部１２１は環境計測装置１００によって計測された温度に基づいて空調装置３０を制御する。制御部１２１は、環境計測装置１００を用いずに、空調装置３０の温度設定を上記のように６０分周期で上昇及び下降させてもよい。
【００５９】
このように、制御部１２１は、所定の周期（例えば、６０分周期）で温度を上昇及び下降させる。温度が経時的に変化すれば、対象者２００に温度による刺激を定常的に与えることができる（対象者２００が温度による刺激に慣れにくくなる）ため、対象者２００の交感神経の働きが優位な状態が維持されやすくなる。
【００６０】
なお、制御部１２１は、第一制御が行われている間、空調装置３０を用いて、空間３００の湿度を４０％以上６０％以下の範囲にする。制御部１２１は、より具体的には、空間３００の湿度を夏場は４０％以上５５％以下の範囲にし、空間３００の湿度を冬場は４５％以上６０％以下の範囲にする。
【００６１】
次に、空調装置３０の第二制御について説明する。空調装置３０の第二制御は、図５のタイムチャートにおいて、１８：００から翌日の６：００までの期間に行われる。第二制御は、さらに、１８：００（つまり、日の入時刻）から２２：００（つまり、就寝予定時刻）までの間に行われる睡眠前制御と、２２：００以降に行われる睡眠中制御に区別される。
【００６２】
睡眠前制御において、制御部１２１は、空間３００の温度が就寝予定時刻に基準温度になるように温度を徐々に低下させる。図５の例では、４時間かけて３℃温度を低下させる。
【００６３】
続く睡眠中制御において、制御部１２１は、３０分かけて周囲の温度を１℃上昇させた後３０分かけて周囲の温度を１℃低下させる。なお、温度変化は３０分以内であることが望ましい。その後はこのような温度変化が繰り返される。
【００６４】
このように、制御部１２１は、所定の周期（例えば、６０分周期）で温度をわずかに（具体的には、３℃未満程度）上昇及び下降させる。一般に人は、体が発熱すると汗をかいて体を冷やし、また時間が経つと体が発熱するという基礎代謝を繰り返している。対象者２００の温度を一定にすると、この基礎代謝を無視することとなり、暑すぎると感じたり、寒すぎると感じたりしてしまう。
【００６５】
これに対し、温度が基礎代謝を想定した周期でわずかに変化すれば、対象者２００に与える温度による刺激を低減しつつ、快適性を高めることができる。このため、対象者２００の副交感神経の働きを優位にすることができる。
【００６６】
なお、制御部１２１は、睡眠前制御が行われている間、空調装置３０を用いて、空間３００の湿度を４０％以上６０％以下の範囲にする。制御部１２１は、より具体的には、空間３００の湿度を夏場は４０％以上５５％以下の範囲にし、空間３００の湿度を冬場は４５％以上６０％以下の範囲にする。
【００６７】
また、制御部１２１は、睡眠中制御が行われている間、空調装置３０を用いて、空間３００の湿度を５０％以上６０％以下の範囲にする。
【００６８】
［照明装置の制御］
次に、照明装置４０の制御の切り替えについて説明する。まず、照明装置４０の第一制御について説明する。照明装置４０の第一制御は、図５のタイムチャートにおいて、６：００から１８：００までの期間に行われる。
【００６９】
制御部１２１は、第一制御開始の３０分前に消灯状態の照明装置４０を点灯させ、３０分かけて空間３００の照度を２０００ルクスまで上げる。その後、制御部１２１は、例えば、１時間で空間３００の照度を２５００ルクスまで上げる。対象者２００が照度変動に嫌悪感を抱かない程度に照度を時間変動させることが好ましい。
【００７０】
空間３００の照度は、例えば、１５時まで２５００ルクスのまま維持され、その後、２時間３０分かけて２０００ルクスまで下げられ、さらにその後、３０分かけて３００ルクスまで下げられる。
【００７１】
このように、空間３００が明るくされれば、対象者２００の交感神経の働きを優位にすることができる。なお、第一制御における空間３００の最大の照度は、２５００ルクス以上であればよい。
【００７２】
また、照明装置４０の色温度に関して、制御部１２１は、第一制御開始の３０分前に２５００Ｋで照明装置４０を点灯させる。その後、制御部１２１は、照明装置４０の色温度を２時間３０分かけて４５００Ｋまで上げ、さらにその後、３時間３０分かけて５０００Ｋまで上げる。
【００７３】
その後、制御部１２１は、照明装置４０の色温度を、３時間３０分かけて４５００Ｋまで下げ、２時間３０分かけて３０００Ｋまで下げ、３０分かけて２５００Ｋまで下げる。
【００７４】
このように、空間３００の色温度が、屋外の色温度（日光の色温度）を模して変化させられることで、対象者２００の交感神経の働きを優位にすることができる。
【００７５】
次に、照明装置４０の第二制御について説明する。照明装置４０の第二制御は、図５のタイムチャートにおいて、１８：００から翌日の６：００までの期間に行われる。第二制御は、さらに、１８：００から２２：００までの間に行われる睡眠前制御と、２２：００以降に行われる睡眠中制御に区別される。
【００７６】
睡眠前制御において、制御部１２１は、照明装置４０を制御することにより空間３００の照度を３００ルクスにする。また、制御部１２１は、照明装置４０の色温度を２５００Ｋにする。そして、睡眠中制御において、制御部１２１は、照明装置４０を消灯（ＯＦＦ）する。
【００７７】
このように、空間３００を暗くすることによって対象者２００に与える光刺激が弱められれば、対象者２００の副交感神経の働きを優位にすることができる。
【００７８】
［外光調整装置の制御の切り替え］
次に、外光調整装置５０の制御の切り替えについて説明する。まず、外光調整装置５０の第一制御について説明する。外光調整装置５０の第一制御は、図５のタイムチャートにおいて、６：００から１８：００までの期間に行われる。
【００７９】
制御部１２１は、第一制御開始の３０分前から外光調整装置５０の透過率を３０分かけて１００％まで上昇させ、その後の３時間１００％の状態を維持する。透過率の初期値は、例えば、１０％である。
【００８０】
このように、空間３００が明るくされれば、対象者２００の交感神経の働きを優位にすることができる。
【００８１】
その後、第一制御の終了時刻（１８：００）までの間、制御部１２１は、外光調整装置５０を天候に応じて制御する。この制御は、例えば、外光調整装置５０が備える照度センサが示す照度に基づいて行われる。例えば、制御部１２１は、天候が曇りの場合（照度センサが示す照度が比較的低い場合）には、外光調整装置５０の光の透過率を１００％とし、天候が晴れの場合（照度センサが示す照度が比較的高い場合）は、グレアを抑える目的等のため、透過率を例えば３０％程度まで低下させる。
【００８２】
次に、外光調整装置５０の第二制御について説明する。照明装置４０の第二制御は、図５のタイムチャートにおいて、１８：００から翌日の６：００までの期間に行われる。第二制御において、外光調整装置５０の透過率を１０％にする。
【００８３】
このように、空間３００を暗くすることによって対象者２００に与える光刺激が弱められれば、対象者２００の副交感神経の働きを優位にすることができる。
【００８４】
［間接照明装置の制御の切り替え］
次に、間接照明装置６０の制御の切り替えについて説明する。まず、間接照明装置６０の第一制御について説明する。間接照明装置６０の第一制御は、図５のタイムチャートにおいて、６：００から１８：００までの期間に行われる。
【００８５】
第一制御において、制御部１２１は、間接照明装置６０を点灯させ、間接照明装置６０の輝度を５時間３０分かけて６０ｃｄ／ｍ２まで上げる。その後、制御部１２１は、第一制御の終了まで間接照明装置６０の輝度を６０ｃｄ／ｍ２にする。
【００８６】
また、図５では正確に図示されていないが、制御部１２１は、間接照明装置６０の輝度が６０ｃｄ／ｍ２である間（つまり、１１：３０〜１８：００の間）、間接照明装置６０が発する光の照度をゆらがせる。制御部１２１は、例えば、間接照明装置６０が発する光の明るさを１ｓｅｃ〜１０ｓｅｃ程度の数秒オーダーの周期（一定周期でもよいし、ランダムな周期であってもよい）で明るくしたり暗くしたりする。間接照明装置６０が発する光は、一定の振幅でゆらいでもよいし、ランダムな振幅でゆらいでもよい。例えば、制御部１２１は、図７の風速の波形のように間接照明装置６０が発する光の照度をゆらがせてもよい。
【００８７】
このように間接光の照度が定常的に変化すれば、対象者２００に間接光による刺激を定常的に与えることができる（対象者２００が間接光による刺激に慣れにくくなる）ため、対象者２００の交感神経の働きが優位な状態が維持されやすくなる。
【００８８】
また、間接照明装置６０の色度に関して、制御部１２１は、第一制御中は、対象者２００の好みでない発光色で間接照明装置６０を発光させる。対象者２００の好みでない発光色を示す情報は、操作受付部１２５によって受け付けられた対象者２００の操作に応じて記憶部１２４にあらかじめ記憶される。これにより、対象者２００の交感神経の働きを優位にすることができる。
【００８９】
次に、間接照明装置６０の第二制御について説明する。間接照明装置６０の第二制御は、図５のタイムチャートにおいて、１８：００から翌日の６：００までの期間に行われる。第二制御は、さらに、１８：００から２２：００までの間に行われる睡眠前制御と、２２：００以降に行われる睡眠中制御に区別される。
【００９０】
睡眠前制御においては、制御部１２１は、間接照明装置６０が就寝予定時刻に消灯するように間接照明装置６０の輝度を低下させる。制御部１２１は、睡眠前制御中は、対象者２００の好みの発光色で間接照明装置６０を発光させる。対象者２００の好みの発光色を示す情報は、操作受付部１２５によって受け付けられた対象者２００の操作に応じて記憶部１２４にあらかじめ記憶される。これにより、対象者２００の副交感神経の働きを優位にすることができる。睡眠中制御においては、間接照明装置６０は消灯される。
【００９１】
なお、間接照明装置６０を対象者の好みの色で発光させると、副交感神経の働きが優位となり、間接照明装置６０を対象者の好みでない色で発光させると、交感神経の働きが優位となることは、発明者らの実験により確認されている。
【００９２】
［換気装置の制御の切り替え］
次に、換気装置７０の制御の切り替えについて説明する。まず、換気装置７０の第一制御について説明する。換気装置７０の第一制御は、図５のタイムチャートにおいて、６：００から１８：００までの期間に行われる。第一制御において、制御部１２１は、換気装置７０を用いて空間３００における二酸化炭素濃度を８００ｐｐｍ未満にする。これは一般的な居住スペースにおいて、換気量３．０ｍ３／ｍ２・ｈ以上に相当する。制御部１２１は、例えば、空間３００における二酸化炭素濃度が高いときに、換気装置７０の換気量を増加させることにより、空間３００における二酸化炭素濃度を８００ｐｐｍ未満にする。なお、空間３００の二酸化炭素濃度は、例えば、環境計測装置１００によって計測され、制御部１２１は環境計測装置１００によって計測された二酸化炭素濃度に基づいて換気装置７０を制御する。
【００９３】
このように、空間３００における二酸化炭素濃度が低下させられれば対象者２００の交感神経の働きを優位にすることができる。
【００９４】
次に、換気装置７０の第二制御について説明する。換気装置７０の第二制御は、図５のタイムチャートにおいて、１８：００から翌日の６：００までの期間に行われる。第二制御の当初３時間の間は、制御部１２１は、換気装置７０を用いて空間３００における二酸化炭素濃度を１０００ｐｐｍ未満にする。これは一般的な居住スペースにおいて、換気量２．６ｍ３／ｍ２・ｈ以上に相当する。制御部１２１は、その後の２時間の間（つまり、就寝予定時刻の前後１時間）は、空間３００における二酸化炭素濃度が２０００ｐｐｍ以上３０００ｐｐｍ以下にする。その後は、制御部１２１は、換気装置７０を用いて空間３００における二酸化炭素濃度を１０００ｐｐｍ未満にする。
【００９５】
このように、空間３００における二酸化炭素濃度が調整されれば、対象者２００の副交感神経の働きを優位にすることができる。
【００９６】
［スピーカの制御］
次に、スピーカ８０の制御について説明する。制御部１２１は、第一制御において、送風装置２０が送出する風の風速が上がるときに、スピーカ８０が発する音を変化させる。ここでの「音を変化させる」には、出音されていない状態で出音を開始することが含まれる。スピーカ８０は、例えば、比較的アップテンポな曲を出力する。これにより、送風装置２０が風速を上げるタイミング、すなわち対象者２００への刺激を強めるタイミングでもう一つの刺激として音が変化するため、より刺激を強められる。したがって、対象者２００の交感神経の働きをより優位にすることができる。
【００９７】
また、制御部１２１は、第二制御において、スピーカ８０が発する音を変化させる。ここでの「音を変化させる」には、出音されていない状態で出音を開始することが含まれる。スピーカ８０は、例えば、ヒーリング音楽などのリラックス効果のある音、または、比較的スローテンポな曲などを出力する。これにより、対象者２００の副交感神経の働きを優位にすることができる。
【００９８】
［香り発生装置の制御］
次に、香り発生装置９０の制御について説明する。制御部１２１は、第一制御において、送風装置２０が送出する風の風速が上がるときに、香り発生装置が発する香りを変化させる。ここでの「香りを変化させる」には、香りが発生していない状態で香りの発生を開始することが含まれる。香り発生装置９０は、例えば、ミントの香りなどの心地よい刺激のある香りを発生させる。これにより、送風装置２０が風速を上げるタイミング、すなわち対象者２００への刺激を強めるタイミングでもう一つの刺激として香りが変化するため、より刺激を強められる。したがって、対象者２００の交感神経の働きをより優位にすることができる。
【００９９】
また、制御部１２１は、第二制御において、香り発生装置が発する香りを変化させる。ここでの「香りを変化させる」には、香りが発生していない状態で香りの発生を開始することが含まれる。香り発生装置９０は、例えば、フィトンチッドなどが含まれる刺激の少ない香り、または、ラベンダーの香りなどを発生させる。これにより、対象者２００の副交感神経の働きを優位にすることができる。
【０１００】
［変形例１］
制御装置１２０は、対象者２００の生体情報を取得し、取得した生体情報に基づいて、送風装置２０の制御の内容を調整してもよい。生体情報は、生体情報計測装置１１０によって計測される。図８は、交感神経及び副交感神経の働きと生体情報の変化の関係を示す図である。図８に示されるように、対象者２００の体温、血圧、心拍数、脈波、発汗量、瞳孔径、表皮温度、及び、表情などの生体情報は、交感神経の働き及び副交感神経の働きと関連しており、送風装置２０の制御の内容を調整するための指標として利用できる。
【０１０１】
制御装置１２０の制御部１２１は、例えば、第一制御の実行中に生体情報計測装置１１０によって計測される対象者２００の心拍数をモニタし、記憶部１２４に記憶された所定の基準データと比較する。例えば、対象者２００の１日の安静時の心拍数の変化を複数日分取得し、記憶部１２４には、これらを平均した１日の心拍数の変化が心拍数の基準データとして記憶される。なお、基準データは、経験的または実験的にあらかじめ定められればよく、対象者２００の心拍数の過去の実測値に基づいて定められることは必須ではない。
【０１０２】
心拍数が基準データよりも低い場合には、交感神経の働きが弱いと推定され、交感神経をより優位にする第一制御を行う必要があると考えられる。そこで、制御部１２１は、対象者２００に与える刺激を向上するために、第一制御の周期を短くしたり、第一制御における風速の最大値を引き上げたりする。このような環境制御システム１０は、対象者２００の交感神経の働きが通常よりも弱いと推定される場合に、交感神経の働きをより優位にするように第一制御の内容を調整することができる。つまり、環境制御システム１０は、対象者２００の自律神経の乱れを抑制することができる。なお、心拍数以外の生体情報を用いても同様の動作が可能である。
【０１０３】
［変形例２］
上記実施の形態では、環境制御システム１０は、第一制御、及び、第二制御を、対象者２００の起床予定時刻、対象者２００の就寝予定時刻、日の出時刻、及び、日の入時刻の少なくとも１つの時刻を考慮した所定のタイミングで切り替える動作モード（以下、概日リズムモードとも記載される）について説明された。環境制御システム１０は、制御装置１２０の操作受付部１２５によって特定の操作が受け付けられることにより、概日リズムモードと他の動作モードとを切り替えてもよい。つまり、環境制御システム１０は、概日リズムモードと他の動作モードとを選択的に実行してもよい。
【０１０４】
他の動作モードとしては、例えば、対象者２００が自身の操作によって自由に第一制御及び第二制御を切り替えることができるマニュアルモードが例示される。また、他の動作モードの別の例としては、スケジュールモードが例示される。
【０１０５】
スケジュールモードの動作中に、制御装置１２０は、対象者２００のスケジュール情報を取得し、取得したスケジュール情報に基づいて第一制御及び第二制御を所定のタイミングで切り替える。図９は、スケジュールモードの動作を示す図である。なお、スケジュール情報は、例えば、操作受付部１２５が対象者２００などのユーザのスケジュールの入力操作を行うことにより、記憶部１２４にあらかじめ記憶される。
【０１０６】
図９に示されるように、スケジュール情報において、対象者２００のプレゼンテーションが予定されているとする。このように対象者２００がプレゼンテーション前で緊張していると推定される場合、単に対象者２００をリラックスさせるのではなく、一度覚醒度を上げたうえでリラックスさせる。これにより、プレゼンテーション時に対象者２００はほどよい緊張感及びリラックス感を得られ、高いパフォーマンスを発揮することが可能となる。
【０１０７】
そこで、制御部１２１は、次の予定（例えば、プレゼンテーション）までに１時間の時間がある場合、最初の３０分は第一制御を実行し、３０分経過後は第二制御を実行する。これにより、プレゼンテーション時に対象者２００はほどよい緊張感及びリラックス感を得られ、高いパフォーマンスを発揮することが可能となる。なお、プレゼンテーション以外の行動に対して、当該行動の前に当該行動に適した第一制御及び第二制御の切り替えが行われてもよい。
【０１０８】
このように、環境制御システム１０は、特定の操作に基づいて、対象者２００の起床予定時刻、対象者２００の就寝予定時刻、日の出時刻、及び、日の入時刻の少なくとも１つの時刻に無関係に送風装置２０などを制御してもよい。
【０１０９】
［効果等］
以上説明したように、環境制御システム１０は、対象者に向けて風を送出する送風装置２０と、対象者２００の起床予定時刻、対象者２００の就寝予定時刻、日の出時刻、及び、日の入時刻の少なくとも１つの時刻を取得し、取得された少なくとも１つの時刻に送風装置２０の制御を切り替える制御装置１２０とを備える。
【０１１０】
このような環境制御システム１０は、対象者２００の起床予定時刻、対象者２００の就寝予定時刻、日の出時刻、及び、日の入時刻の少なくとも１つの時刻に適切に送風装置２０の制御を切り替えることで、対象者２００の自律神経の乱れを抑制することができる。
【０１１１】
また、例えば、制御装置１２０は、起床予定時刻、就寝予定時刻、及び、日の入時刻を取得し、起床予定時刻から、就寝予定時刻及び日の入時刻のいずれか早い時刻までの間に、送風装置２０が送出する風の風速を所定の周期で変化させることにより対象者２００の交感神経の働きを副交感神経の働きよりも優位にする第一制御を行い、就寝予定時刻及び日の入時刻のいずれか早い時刻以降に、送風装置２０が送出する風の風速を第一制御よりも小さくすることにより対象者２００の副交感神経の働きを交感神経の働きよりも優位にする第二制御を行う。
【０１１２】
このような環境制御システム１０は、概日リズムに合わせて第一制御及び第二制御を切り替えることで、対象者２００の自律神経の乱れを抑制することができる。
【０１１３】
また、例えば、制御装置１２０は、第一制御において、送風装置２０が送出する風の風速を、所定の周期よりも短い時間間隔でゆらがせる。
【０１１４】
このような環境制御システム１０は、風速を経時的に変化させることで、対象者２００に風による刺激を定常的に与えることができる。対象者２００が風による刺激に慣れにくくなるため、交感神経の働きが優位な状態が維持されやすくなる。
【０１１５】
また、例えば、環境制御システム１０は、さらに、対象者２００が位置する空間３００の温度を調整するための空調装置３０を備える。制御装置１２０は、取得された少なくとも１つの時刻に空調装置３０の制御を切り替える。
【０１１６】
このような環境制御システム１０は、空調装置３０の制御を切り替えることで、対象者２００の自律神経の乱れを抑制することができる。
【０１１７】
また、例えば、環境制御システム１０は、さらに、対象者２００が位置する空間３００を照らす照明装置４０を備える。制御装置１２０は、取得された少なくとも１つの時刻に、色温度に関する照明装置４０の制御を切り替える。
【０１１８】
このような環境制御システム１０は、色温度に関する照明装置４０の制御を切り替えることで、対象者２００の自律神経の乱れを抑制することができる。
【０１１９】
また、例えば、環境制御システム１０は、さらに、対象者２００が位置する空間３００を照らす照明装置４０を備える。制御装置１２０は、取得された少なくとも１つの時刻に、空間３００の照度に関する照明装置４０の制御を切り替える。
【０１２０】
このような環境制御システム１０は、空間３００の照度に関する照明装置４０の制御を切り替えることで、対象者２００の自律神経の乱れを抑制することができる。
【０１２１】
また、例えば、環境制御システム１０は、さらに、対象者２００が位置する空間３００に配置された間接照明装置６０を備える。制御装置１２０は、取得された少なくとも１つの時刻に、間接照明装置６０の発光色を、あらかじめ設定された対象者２００の好みの色、または、あらかじめ設定された対象者２００の好みでない色に切り替える。
【０１２２】
このような環境制御システム１０は、間接照明装置６０の発光色を切り替えることで、対象者２００の自律神経の乱れを抑制することができる。
【０１２３】
また、例えば、環境制御システム１０は、さらに、対象者２００が位置する空間３００の換気を行う換気装置７０を備える。制御装置１２０は、取得された少なくとも１つの時刻に、空間３００における二酸化炭素濃度に関する換気装置７０の制御を切り替える。
【０１２４】
このような環境制御システム１０は、空間３００の換気を行う換気装置７０の制御を切り替えることで、対象者２００の自律神経の乱れを抑制することができる。
【０１２５】
また、例えば、環境制御システム１０は、さらに、対象者２００が位置する空間３００へ取り入れられる外光の量を調整する外光調整装置５０を備える。制御装置１２０は、取得された少なくとも１つの時刻に、外光調整装置５０の制御を切り替える。
【０１２６】
このような環境制御システム１０は、外光調整装置５０の制御を切り替えることで、対象者２００の自律神経の乱れを抑制することができる。
【０１２７】
また、例えば、環境制御システム１０は、さらに、対象者２００が位置する空間３００に配置された、スピーカ８０及び香り発生装置９０を備える。
【０１２８】
このような環境制御システム１０は、スピーカ８０及び香り発生装置９０を制御することによって、対象者２００の自律神経の乱れを抑制することができる。
【０１２９】
また、例えば、環境制御システム１０は、さらに、対象者２００が位置する空間３００における環境情報を計測する環境計測装置１００を備える。
【０１３０】
このような環境制御システム１０は、空間３００における環境情報に基づいて、対象者２００の自律神経の乱れを抑制するための対象装置の制御を行うことができる。
【０１３１】
また、例えば、環境制御システム１０は、さらに、対象者２００の生体情報を計測する生体情報計測装置１１０を備える。制御装置１２０は、計測された対象者２００の生体情報に基づいて、送風装置２０の制御の内容を調整する。
【０１３２】
このような環境制御システム１０は、対象者２００の生体情報に基づいて、より効果的に対象者２００の自律神経の乱れを抑制することができる。
【０１３３】
また、例えば、制御装置１２０は、特定の操作に基づいて、少なくとも１つの時刻に無関係に送風装置２０を制御する。
【０１３４】
このような環境制御システム１０は、対象者２００自身の操作によって第一制御及び第二制御を切り替える動作などを行うことができる。
【０１３５】
また、例えば、制御装置１２０は、時刻を指定する操作に基づいて、日の出時刻、及び、日の入時刻を取得する。
【０１３６】
このような環境制御システム１０は、対象者２００などの時刻を指定する操作に応じて日の出時刻、及び、日の入時刻を取得することができる。
【０１３７】
また、例えば、制御装置１２０は、対象者２００が位置する空間３００の場所を指定する操作に基づいて、日の出時刻、及び、日の入時刻を取得する。
【０１３８】
このような環境制御システム１０は、対象者２００などの場所を指定する操作に応じて日の出時刻、及び、日の入時刻を取得することができる。
【０１３９】
また、例えば、制御装置１２０は、衛星測位システムから取得した情報に基づいて、日の出時刻、及び、日の入時刻を取得する。
【０１４０】
このような環境制御システム１０は、衛星測位システムを利用して日の出時刻、及び、日の入時刻を取得することができる。
【０１４１】
また、例えば、環境制御システム１０などのコンピュータが実行する環境制御方法は、対象者２００の起床予定時刻、対象者２００の就寝予定時刻、日の出時刻、及び、日の入時刻の少なくとも１つの時刻を取得し、取得された少なくとも１つの時刻に対象者２００に向けて風を送出する送風装置２０の制御を切り替える。
【０１４２】
このような環境制御方法は、対象者２００の起床予定時刻、対象者２００の就寝予定時刻、日の出時刻、及び、日の入時刻の少なくとも１つの時刻に適切に送風装置２０の制御を切り替えることで、対象者２００の自律神経の乱れを抑制することができる。
【０１４３】
（その他の実施の形態）
以上、実施の形態について説明したが、本発明は、上記実施の形態に限定されるものではない。
【０１４４】
例えば、上記実施の形態において、特定の処理部が実行する処理を別の処理部が実行してもよい。また、複数の処理の順序が変更されてもよいし、複数の処理が並行して実行されてもよい。
【０１４５】
また、上記実施の形態において、各構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１４６】
また、各構成要素は、ハードウェアによって実現されてもよい。各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１４７】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。
【０１４８】
例えば、本発明は、環境制御方法として実現されてもよいし、環境制御方法をコンピュータに実行させるためのプログラムとして実現されてもよいし、このようなプログラムが記録されたコンピュータ読み取り可能な非一時的な記録媒体として実現されてもよい。
【０１４９】
また、本発明は、上記実施の形態の制御装置として実現されてもよいし、コンピュータをこのような制御装置として動作させるための当該コンピュータによって実行されるプログラムとして実現されてもよい。また、本発明は、このようなプログラムが記録されたコンピュータ読み取り可能な非一時的な記録媒体として実現されてもよい。
【０１５０】
また、上記実施の形態では、環境制御システムは、複数の装置によって実現されたが。単一の装置として実現されてもよい。環境制御システムが複数の装置によって実現される場合、上記実施の形態で説明された環境制御システムが備える構成要素は、複数の装置にどのように振り分けられてもよい。
【０１５１】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１５２】
１０  環境制御システム
２０  送風装置
３０  空調装置
４０  照明装置
５０  外光調整装置
６０  間接照明装置
７０  換気装置
８０  スピーカ
９０  香り発生装置
１００  環境計測装置
１１０  生体情報計測装置
１２０  制御装置
２００  対象者
３００  空間
【図１】
2020158560.tif 000003
【図２】
2020158560.tif 000004
【図３】
2020158560.tif 000005
【図４】
2020158560.tif 000006
【図５】
2020158560.tif 000007
【図６】
2020158560.tif 000008
【図７】
2020158560.tif 000009
【図８】
2020158560.tif 000010
【図９】
2020158560.tif 000011
【国際調査報告】
2020158560.tif 000012
2020158560.tif 000013
2020158560.tif 000014
2020158560.tif 000015
2020158560.tif 000016